(57)【要約】      （修正有）【課題】内部に化粧料等の細かな粉体を保持する容器の蓋構造や、内部に液体を保持する容器の蓋構造等に関し、内部の粉体や液体の蓋外部への逸出を良好に妨げる蓋を提供する。【解決手段】開口部を有する被閉塞部材１３と該開口部を閉塞する閉塞部材１１とが互いに離脱可能に一体嵌合された蓋構造であって、被閉塞部材と閉塞部材とが、異なる材質からなり、少なくとも被閉塞部材と閉塞部材との一方が樹脂製であるもの。尚、異なる材質としては、溶融温度又は軟化温度の相違するものが挙げられる。【選択図】図１
2016209285.tif 000002
【特許請求の範囲】
【請求項１】
開口部を有する被閉塞部材と該開口部を閉塞する閉塞部材とが互いに離脱可能に一体嵌合された蓋構造であって、
前記被閉塞部材と閉塞部材とが、異なる材質からなり、
少なくとも被閉塞部材と閉塞部材との一方が樹脂製であることを特徴とする蓋構造。
【請求項２】
前記被閉塞部材と閉塞部材とが、溶融温度又は軟化温度の相違する材質からなり、
溶融温度又は軟化温度の高い部材に対して、溶融温度又は軟化温度の低い部材が一体形成されていることを特徴とする請求項１に記載の蓋構造。
【請求項３】
前記閉塞部材が被閉塞部材を構成する材質と比較して溶融温度の高い材質の部材であり、
前記溶融温度の高い閉塞部材の周りに、溶融温度の低い被閉塞部材がインサート成形によって一体化されていることを特徴とする請求項１又は２に記載の蓋構造。
【請求項４】
前記閉塞部材の前記被閉塞部材と接触する周縁部に閉塞部材と被閉塞部材との係合状態を向上させる係合手段が備わっていることを特徴とする請求項２又は３に記載の蓋構造。
【請求項５】
前記閉塞部材の外側面に突設された取手部が形成されていることを特徴とする請求項４に記載の蓋構造。
【発明の詳細な説明】
【技術分野】
【０００１】
本発明は、例えば内部に化粧料等の細かな粉体を保持する内容器の内蓋構造や、内部に液体を保持する容器の蓋構造に関し、内部の粉体や液体の蓋外部への逸出を良好に妨げ、簡便に開封することが可能な蓋の構造に関するものである。
【背景技術】
【０００２】
従来より、上面部に開口を備えた容器本体に粉末状の化粧料を収納し、この開口に伸縮性のネット部を張設し、伸縮性ネット部の上面からパフ等により粉末状の化粧料に押しつけて、ネット部を介して粉末状の化粧料を写し取ることにより、充填された粉末状の化粧料が飛散するのを防止することができる容器は一般的に用いられている（例えば、特許文献１参照）。
【０００３】
このような化粧料用容器では、高伸縮性を有するネット部が張設されている中央の開口をシール部材で覆って接着させている。これにより、粉末状の化粧料の飛散防止と適量をパフに移すためのものである。
【０００４】
また、ネット部を備えた化粧料容器において、化粧料の上面に載置された、肉厚の枠体とこの枠体に保持された網部とからなる網皿を円滑に下降させる工夫を施した化粧料容器も提案されている（例えば、特許文献２参照）。
【先行技術文献】
【特許文献】
【０００５】
【特許文献１】特開２００８−１９４１９０号公報
【特許文献２】特開平１０-３１３９３６号公報
【発明の概要】
【発明が解決しようとする課題】
【０００６】
容器本体の開口に伸縮性のネット部を張設されたものとしては、予め人の手により、ネット部を張設した上で、ネットの上面よりシール部材を貼着して開口を塞いでいたが、シール部材の粘着力が粉末状の化粧料によって弱まり、消費者の手元に届く前にシール部材の外方に粉末状の化粧料が逸出するものがあった。
【０００７】
本発明は、内部に化粧料等の細かな粉体を保持する容器の蓋構造や、内部に液体を保持する容器の蓋構造等に関し、内部の粉体や液体の蓋外部への逸出を良好に妨げ、簡便に開封することが可能となる蓋の構造を得ることを目的とする。
【課題を解決するための手段】
【０００８】
請求項１に記載された発明に係る蓋構造は、開口部を有する被閉塞部材と該開口部を閉塞する閉塞部材とが互いに離脱可能に一体嵌合された蓋構造であって、
前記被閉塞部材と閉塞部材とが、異なる材質からなり、
少なくとも被閉塞部材と閉塞部材との一方が樹脂製であることを特徴とするものである。
【０００９】
請求項２に記載された発明に係る蓋構造は、請求項１に記載の被閉塞部材と閉塞部材とが、溶融温度又は軟化温度の相違する材質からなり、
溶融温度又は軟化温度の高い部材に対して、溶融温度又は軟化温度の低い部材が一体形成されていることを特徴とするものである。
【００１０】
請求項３に記載された発明に係る蓋構造は、請求項１又は２に記載の閉塞部材が被閉塞部材を構成する材質と比較して溶融温度の高い材質の部材であり、
前記溶融温度の高い閉塞部材の周りに、溶融温度の低い被閉塞部材がインサート成形によって一体化されていることを特徴とするものである。
【００１１】
請求項４に記載された発明に係る蓋構造は、請求項２又は３に記載の閉塞部材の前記被閉塞部材と接触する周縁部に閉塞部材と被閉塞部材との係合状態を向上させる係合手段が備わっていることを特徴とするものである。
【００１２】
請求項５に記載された発明に係る蓋構造は、請求項４に記載の閉塞部材の外側面に突設された取手部が形成されていることを特徴とするものである。
【発明の効果】
【００１３】
本発明は、内部に化粧料等の細かな粉体を保持する容器や、内部に液体を保持する容器の蓋構造であって、内部の粉体や液体の蓋外部への逸出を良好に妨げ、簡便に開封することが可能となることができるという効果がある。
【図面の簡単な説明】
【００１４】
【図１】本発明の蓋構造の一実施例の構成を示す説明図であり、ａ図は平面図、ｂ図は底面図、ｃ図は側面図、ｄ図はＡ−Ａ断面図である。
【図２】図１の蓋構造の閉塞部材としての蓋部を取り外した状態を示す説明図であり、ａ図は被閉塞部材としての縁部の平面図、ｂ図は蓋部の平面図、ｃ図は蓋部の断面図である。
【図３】図１のＡ−Ａ断面図の拡大図であり、要部の更なる拡大図を含む。
【図４】インサート成形を行う金型を含んだ説明図である。
【発明を実施するための形態】
【００１５】
本発明における蓋構造としては、具体的には、密閉性を確保するための容器の開口部に装着されることも可能であり、開封前には高い密閉性を有することもでき、尚且つ、開封時には容易に開封することができるものであればよい。例えば、内部に化粧料等の細かな粉体を保持する内容器の内蓋構造や、内部に液体を保持する容器の蓋構造であって、内部の粉体や液体の蓋外部への逸出を良好に妨げることができ、尚且つ、容易に開封することができればよい。
【００１６】
本発明においては、開口部を有する被閉塞部材と該開口部を閉塞する閉塞部材とが互いに離脱可能に一体嵌合された蓋構造であって、被閉塞部材と閉塞部材とが異なる材質からなり、少なくとも被閉塞部材と閉塞部材との一方が樹脂製であるため、内部に化粧料等の細かな粉体を保持する内容器の内蓋構造であっても、内部の粉体の逸出を良好に妨げ、簡便に開封することが可能となることができ、内部に液体を保持する容器の蓋構造であっても、内部の液体の蓋外部への逸出を良好に妨げることができるものである。
【００１７】
本発明は、被閉塞部材と閉塞部材とが互いに離脱可能に一体嵌合された蓋構造であるため、内部に化粧料等の細かな粉体を保持する内容器の内蓋構造や内部に液体を保持する容器の蓋構造等に使用することができる。尚、本発明の開口部としては、円形のものに限定されるものではない。円形以外にも、例えば、楕円形や、四角形、三角形を含む多角形、星形等の任意の形状の開口部を選択することができる。
【００１８】
本発明における被閉塞部材と閉塞部材とに関する「異なる材質」としては、素材として全く別の素材は元より、同じ素材であっても添加物等を相違させて物性を異ならせたものをも含む。例えば、撓み率、硬度、伸縮率等々を相違させることにより、被閉塞部材と閉塞部材とが互いに脱離可能ではあるが、蓋構造を備えた容器の内部が蓋部の開口部から逸出することを妨げる充分な密閉性を保持することが可能となる。
【００１９】
より好ましい異なる材質としては、溶融温度又は軟化温度が上げられる。これにより、一体化する温度を選択することにより、被閉塞部材と閉塞部材とを一体化させることが容易に行うことができる。更に好ましい異なる材質としては、溶融温度が相違する材質のものが選択される。これにより、金型に溶融温度の高い閉塞部材又は被閉塞部材の一方を保持させた後に、溶融温度の低い被閉塞部材又は閉塞部材の他方を金型内に射出してインサート成形させることにより、被閉塞部材と閉塞部材とを一体化させることが連続して行うことができる。
【００２０】
具体的には、溶融温度又は軟化温度の高い部材に対して、溶融温度又は軟化温度の低い部材を一体形成する。例えば、閉塞部材が被閉塞部材よりも軟化温度が高い材質とした場合には、被閉塞部材を軟化させた金型の所定の部分に閉塞部材を挿入し、一体化させればよい。逆に、被閉塞部材が閉塞部材よりも軟化温度が高い材質とした場合には、閉塞部材を軟化させた金型の所定の部分に被閉塞部材を挿入し、一体化させればよい。
【００２１】
また、被閉塞部材が閉塞部材よりも溶融温度が高い材質とした場合には、金型の所定の部分に被閉塞部材を挿入し、金型内に閉塞部材の溶融物を射出して一体化させればよい。逆に、閉塞部材が被閉塞部材よりも溶融温度が高い材質とした場合には、金型の所定の部分に閉塞部材を挿入し、金型内に被閉塞部材の溶融物を射出して一体化させればよい。
【００２２】
即ち、好ましい態様としては、閉塞部材が溶融温度の高い材質の部材であり、被閉塞部材が溶融温度の低い材質の部材であり、溶融温度の高い閉塞部材の周りに、溶融温度の低い被閉塞部材がインサート成形によって一体化されているものでは、インサート成形によって得られた蓋構造は、高い密閉性を確保することができ、尚且つ、容易に大量生産することが可能となる。
【００２３】
本発明の蓋構造では、溶融温度の高い部材に対して、溶融温度の低い部材が一体形成されるため、高い密閉性を確保することができるが、閉塞部材と被閉塞部材との係合状態を向上させる係合手段を配する工夫を行っても良い。即ち、被閉塞部材と接触する周縁部に閉塞部材と被閉塞部材との係合状態を向上させる係合手段が備わっているものである。
【００２４】
例えば、被閉塞部材と接触する閉塞部材の周縁部に凸部が形成され、インサート成形された被閉塞部材の対向位置に凹部が形成されたものや、逆に、被閉塞部材と接触する閉塞部材の周縁部に凹部が形成され、インサート成形された被閉塞部材の対向位置に凸部が形成されたもの、更には、被閉塞部材と接触する閉塞部材の周縁部にテーパーが形成されているもの等が挙げられる。
【００２５】
これらの係合手段によって、閉塞部材と被閉塞部材との接触面が多くなるため、高い密閉性を確保することができる。これらの凸部、凹部、テーパーの係合手段は、係合状態だけでなく、閉塞部材と被閉塞部材との離脱の際に、閉塞部材の凸部や凹部等やテーパーの一部に重複された箇所が部分的に引き上げられて容易に変形・破断されることにより離脱が容易に行うことができる利点も奏するため、より好適である。
【００２６】
尚、閉塞部材の周縁部に形成されたテーパーの代わりに、閉塞部材の被閉塞部材と接触する周縁部を凸状に加工し、この凸状に嵌合する凹状に被閉塞部材とすることによっても同様の高い密閉性と離脱が容易となる効果を奏する。被閉塞部材の凹状とすることも溶融温度の低い被閉塞部材がインサート成形によって一体化されることによって容易に得ることができる。
【００２７】
前述の通り、本発明の好ましい態様としては、閉塞部材が溶融温度の高い材質の部材であり、被閉塞部材が溶融温度の低い材質の部材であり、溶融温度の高い閉塞部材の周りに、溶融温度の低い被閉塞部材がインサート成形によって一体化される。この場合、溶融温度の高い材質の部材からなる閉塞部材を金型内に配置する必要がある。好ましい態様としては、この閉塞部材の外側面に突設された取手部が形成されている。この取手部を用いて溶融温度の低い被閉塞部を射出する金型の内部の所定位置に配置することが可能となり、容易に大量生産することが可能となる。
【実施例】
【００２８】
図１は本発明の蓋構造の一実施例の構成を示す説明図であり、ａ図は平面図、ｂ図は底面図、ｃ図は側面図、ｄ図はＡ−Ａ断面図である。図２は図１の蓋構造の閉塞部材としての蓋部を取り外した状態を示す説明図であり、ａ図は被閉塞部材としての縁部の平面図、ｂ図は蓋部の平面図、ｃ図は蓋部の断面図である。図３は図１のＡ−Ａ断面図の拡大図であり、要部の更なる拡大図を含む。図４はインサート成形を行う金型を含んだ説明図である。
【００２９】
図１及び図３に示す通り、本実施例の蓋構造としての蓋部１０は、内部に粉末状の化粧料を収納する内容器の開口に配設される内蓋としての蓋部１０であって、蓋部材１１を開放した際に形成される開口部１４に伸縮性のネット部１５を張設し、伸縮性ネット部１５の上面からパフ等により粉末状の化粧料に押しつけて、ネット部１５を介して粉末状の化粧料を写し取るものである。
【００３０】
具体的には、本実施例の蓋部１０は、円状の皿のような外形を有する。皿の底部に配される閉塞部材としての蓋部材１１は円盤状の外形であり、外方となる上面には取手部１２が形成されている。この取手部１２は蓋部１０を開放する際に、使用者にとって蓋部材１１を保持する取っ掛かりとなるものであるが、後述する通り、インサート成形する際に金型内に蓋部材１１を取付ける際の固定手段として利用することも想定している。
【００３１】
皿の底部から側部に亘って配される被閉塞部材としての枠部材１３は、蓋部材１１の円状の周縁部と連結されて一体化されている。蓋部材１１が取り外された際には、図２に示す通り、皿の底部に円形の開口部１４が形成される。尚、開口部１４の下面側にはネット部１５が張設されてパフ等により粉末状の化粧料に押しつけて、ネット部を介して粉末状の化粧料を写し取る容器の蓋部を構成する。
【００３２】
蓋部１０は、相違する材質からなる蓋部材１１と枠部材１３とが一体嵌合されて構成されている。相違する素材としては、撓み率、硬度、伸縮率等々を相違させることにより、被閉塞部材と閉塞部材とが互いに脱離可能ではあるが、蓋部１０を取付けた容器の内部が蓋部１０の開口部から逸出することを妨げる充分なしっかりとした密閉性を保持することが可能となる。
【００３３】
本実施例において、蓋部材１１と枠部材１３との相違する材質としては、溶融温度を異ならせることにより、インサート成形することが可能となる。具体的には、本実施例においては、閉塞部材としての蓋部材１１は、溶融温度が枠部材１３よりも高い１８１℃のポリオキシメチレン(polyoxymethylene)樹脂からなり、被閉塞部材としての枠部材１３は、溶融温度が１６８℃のポリプロピレン(polypropylene)樹脂からなる。
【００３４】
被閉塞部材としての枠部材１３を構成する樹脂が、閉塞部材としての蓋部材１１よりも溶融温度が低いために、インサート成形を行う金型内の所定の位置に蓋部材１１を配した後に、金型内に枠部材１３を構成する樹脂を射出成形することにより、インサート成形を行うことができる。
【００３５】
具体的な一実施例としては、図４に示す通り、上下２つ日に分割される上金型４１、下金型４２の上金型４１に蓋部材１１を取付ける。この場合、上金型４１の蓋部材１１の上面に突設された取手部１２が挿入される挿入孔４４を上金型４１に設け、挿入孔４４を通過した取手部１２の先端部を一組の挟持部４３の挟持によって固定する固定手段を備える。蓋部材１１が取付けられた後に上金型４１と下金型４２とを合わせて、形成された空隙に枠部材１３を構成する樹脂が射出されて枠部材１３と蓋部材１１とを一体とする。
【００３６】
図４に示したインサート成形では、ネット部１５は一体化されていないが、金型４１、４２から枠部材１３及び蓋部材１１が一体化されたものを取り出した後に、底面部にネット部１５を張設させればよい。
【００３７】
本実施例の蓋部材１１は枠部材１３との射出成形前に予め形成させる。この蓋部材１１の形成については、種々の方法を採ることができる。例えば、高い溶融温度の樹脂による射出成形で行っても良いし、プレス加工等で行っても良い。また、閉塞部材としての蓋部材１１は、樹脂製だけでなく、金属製、木製、紙製等としても良い。
【００３８】
本実施例の蓋部材１１の枠部材１３との接合部分の周縁部１６は、図３に示す通り、テーパー状に加工されている。このテーパー状に加工された周縁部１６により、しっかりと保持されることにより密閉性が増すと共に、蓋部材１１の取手部１２の引き上げに伴って蓋部材１１が引張られることにより、テーパーの一部に重複された箇所が引き上げられて変形・破断されることにより、蓋部材１１と枠部材１３とが分離され、枠部材１３の開口部１４及びネット部１５が表出される。
【００３９】
得られた本実施例の蓋部１０では、蓋部材１１を枠部材１３から取り外すと、図３の拡大図に示す通り、テーパーの一部に重複された枠部材１３箇所が引き上げられて変形・破断されることにより、蓋部材１１と枠部材１３とが分離されるため、一旦取り外した蓋部材１１を枠部材１３のテーパーの一部に重複されたを乗り越えて開口部１４に戻すことが難しくなる。
【００４０】
尚且つ、本実施例では、枠部材１３の開口部１４は構成する樹脂がポリプロピレン樹脂であるため、若干収縮する。この枠部材１３の収縮により、蓋部材１１を枠部材１３のテーパーの一部に重複されたを乗り越えて開口部１４に戻すことが実質的に不可能となる効果も奏する。
【００４１】
また、蓋部材の周縁部に凸部又は凹部が形成され、インサート成形された枠部材の対向位置に対応するように凹部又は凸部が形成されたものでも、枠部材を構成する樹脂を選択することにより、枠部材が収縮する程度を変更することができる。これによって一旦取り外した蓋部材を枠部材の開口部に戻すことの難度を調整することも可能となる効果も奏する。
【００４２】
以上の通り、この蓋部材１１と枠部材１３とのインサート成形により、密閉性を高めることが可能な蓋構造が簡便なインサート成形法により大量に生産することができる。尚、本実施例では蓋部材１１は枠部材を構成する樹脂よりも溶融温度の高い樹脂としたが、樹脂だけでなく金属製であったも何ら問題はない。また、本実施例の蓋部１０は、図４に示した金型を用いたインサート成形に限らず、他の製造法でも製造することができることは言うまでもない。
【００４３】
また、本実施例では枠部材１３の溶融温度が蓋部材１１の溶融温度よりも低くしているが、逆にしても良い。この場合、溶融温度が低い蓋部材１１を破断し易いように開口の縁部に沿って密閉壁を薄くする等の工夫を行えばよい。更に、本実施例の蓋部１０の開口部１４では、円形でるが、例えば、楕円形や、四角形、三角形を含む多角形、星形等の任意の形状の開口部を選択することができることは言うまでもない。
【産業上の利用可能性】
【００４４】
被閉塞部材と閉塞部材とを異なる材質として一体嵌合することにより、内部の粉体や液体の蓋外部への逸出を良好に妨げることができ、内部に粉末体を保持する容器を始めとして、内部に液体を保持する容器等に使用することができる。
【符号の説明】
【００４５】
１０…蓋部、
１１…蓋部材（閉塞部材）、
１２…取手部、
１３…枠部材（被閉塞部材）、
１４…開口部、
１５…ネット部、
１６…周縁部、
４１…上金型、
４２…下金型、
４３…挟持部（固定手段）、
４４…挿入孔、
【図１】
2016209285.tif 000003
【図２】
2016209285.tif 000004
【図３】
2016209285.tif 000005
【図４】
2016209285.tif 000006